(57)【特許請求の範囲】
【請求項１】
宅内の電力消費に応じて変化する電力値又は電流値を取得する取得部と、
宅内のドアの開閉を検出するドア開閉検出部と、
予め設定された期間内に前記取得部が取得した電力値又は電流値、及び前記予め設定された期間内に前記ドア開閉検出部が検出したドアの開閉状態を基に、在室及び不在を判定する判定部と、を有し、
前記判定部は、前記予め設定された期間内に前記電力値又は前記電流値が予め設定された値以下に低下しかつ前記ドアが開閉されると、不在と判定することを特徴とする在室及び不在判定システム。
【請求項２】
前記判定部は、不在と判定した後に、前記電力値又は前記電流値が前記予め設定された値よりも大きくなり、又は前記ドアが開閉されると、在室と判定することを特徴とする請求項１に記載の在室及び不在判定システム。
【請求項３】
前記判定部は、前記電力値又は前記電流値が予め設定された値以下に低下し、かつその低下時点を起算点とした前記予め設定された期間内に前記ドアが開閉されると、不在と判定することを特徴とする請求項１又は２に記載の在室及び不在判定システム。
【請求項４】
前記判定部は、前記予め設定された期間を単位とし時間的に連続して、前記取得部が取得した電力値又は電流値及び前記ドア開閉検出部が検出したドアの開閉状態を得ており、
前記判定部は、前記予め設定された期間内に前記電力値又は前記電流値が予め設定された値以下に低下し、当該予め設定された期間に時間的に連続する次の予め設定された期間に前記ドアが開閉されると、当該次の予め設定された期間内を不在と判定することを特徴とする請求項１又は２に記載の在室及び不在判定システム。
【請求項５】
取得部が、宅内の電力消費に応じて変化する電力値又は電流値を取得する取得ステップと、
ドア開閉検出部が、宅内のドアの開閉を検出するドア開閉検出ステップと、
判定部が、予め設定された期間内に前記取得ステップで取得した電力値又は電流値、及び前記予め設定された期間内に前記ドア開閉検出ステップで検出したドアの開閉状態を基に、在室及び不在を判定する判定ステップと、を有し、
前記判定ステップでは、前記予め設定された期間内に前記電力値又は前記電流値が予め設定された値以下に低下しかつ前記ドアが開閉されると、不在と判定することを特徴とする在室及び不在判定方法。
【発明の詳細な説明】
【技術分野】
【０００１】
本発明は、人の在室と不在とを判定する技術に関する。
【背景技術】
【０００２】
在室及び不在を判定する手法としていろいろ検討されているが、多くのシステムでは、カメラや複数の人感センサを用いて人の移動の方向から入退室を管理する手法がとられている（例えば非特許文献１参照）。しかし、このようなシステムでは、導入コストが高くなるという問題点がある。
【０００３】
一方で、見守りサービスとして、家全体の電力（電流）変動から人の活動量を推定しようとする技術が開発されている（例えば非特許文献２、３参照）。このシステムでは、電流センサや電力センサを用いて家全体の電力を時系列に取得している。
【先行技術文献】
【非特許文献】
【０００４】
【非特許文献１】保本  晃伸、画像処理による老人介護施設の入退室管理システムに関する研究、［online］、平成23年度中四国地区高等専門学校専攻科生研究交流会  情報・制御部門  I-37、［平成２４年２月１日検索］、インターネット（ＵＲＬ：http://www.hiroshima-cmt.ac.jp/event/s_meeting2011/file/I/I-37.pdf）
【非特許文献２】中野  幸夫、外４名、独居高齢者見守りシステムの実用化  −狛江市における実証試験−  研究報告書R09014、［online］、財団法人  電力中央研究所、［平成２４年２月１日検索］、インターネット（ＵＲＬ：http://criepi.denken.or.jp/jp/kenkikaku/report/detail/R09014.html）
【非特許文献３】中野  幸夫、電気の使い方から独居高齢者を見守るシステム（その２）−総負荷電流の変化の累積度数分布を用いる方法−  研究報告書R05013、［online］、財団法人  電力中央研究所、［平成２４年２月１日検索］、インターネット（ＵＲＬ：http://criepi.denken.or.jp/jp/kenkikaku/report/detail/R05013.html）
【発明の概要】
【発明が解決しようとする課題】
【０００５】
しかし、例えば就寝中などのように在室中であっても電力消費量が少ない状態では、電力変動を基に在室か不在かを判定（在外判定）することは困難であり、判定精度を十分に上げられないという問題があった。
そこで、本発明の目的は、コストを抑えつつも在外判定の判定精度を高くすることである。
【課題を解決するための手段】
【０００６】
前記課題を解決するために、（１）本発明の一態様では、宅内の電力消費に応じて変化する電力値又は電流値を取得する取得部と、宅内のドアの開閉を検出するドア開閉検出部と、予め設定された期間内に前記取得部が取得した電力値又は電流値、及び前記予め設定された期間内に前記ドア開閉検出部が検出したドアの開閉状態を基に、在室及び不在を判定する判定部と、を有し、前記判定部は、前記予め設定された期間内に前記電力値又は前記電流値が予め設定された値以下に低下しかつ前記ドアが開閉されると、不在と判定することを特徴とする在室及び不在判定システムを提供できる。
【０００７】
（２）本発明の一態様では、前記判定部は、不在と判定した後に、前記電力値又は前記電流値が前記予め設定された値よりも大きくなり、又は前記ドアが開閉されると、在室と判定する。
【０００８】
（３）本発明の一態様では、前記判定部は、前記電力値又は前記電流値が予め設定された値以下に低下し、かつその低下時点を起算点とした前記予め設定された期間内に前記ドアが開閉されると、不在と判定する。
【０００９】
（４）本発明の一態様では、前記判定部は、前記予め設定された期間を単位とし時間的に連続して、前記取得部が取得した電力値又は電流値及び前記ドア開閉検出部が検出したドアの開閉状態を得ており、前記判定部は、前記予め設定された期間内に前記電力値又は前記電流値が予め設定された値以下に低下し、当該予め設定された期間に時間的に連続する次の予め設定された期間に前記ドアが開閉されると、当該次の予め設定された期間内を不在と判定する。
【００１０】
（５）本発明の一態様では、取得部が、宅内の電力消費に応じて変化する電力値又は電流値を取得する取得ステップと、ドア開閉検出部が、宅内のドアの開閉を検出するドア開閉検出ステップと、判定部が、予め設定された期間内に前記取得ステップで取得した電力値又は電流値、及び前記予め設定された期間内に前記ドア開閉検出ステップで検出したドアの開閉状態を基に、在室及び不在を判定する判定ステップと、を有し、前記判定ステップでは、前記予め設定された期間内に前記電力値又は前記電流値が予め設定された値以下に低下しかつ前記ドアが開閉されると、不在と判定することを特徴とする在室及び不在判定方法を提供できる。
【発明の効果】
【００１１】
（１）及び（５）の態様の発明では、既に見守りサービス等で利用されている家全体の電力値の時系列データ又は電流値の時系列データと安価に設置できるドアセンサ等のドア開閉検出部が検出できる開閉タイミング情報とを利用し、予め設定された期間内に電力値又は電流値が予め設定された値以下に低下しかつドアが開閉された場合を住人が不在になったことの判定条件としている。これにより、（１）及び（５）の態様の発明では、家全体の消費電力を測定するために分電盤等に設けられた電力計と、ドアに取り付けられたドアセンサ等のドア開閉検出部のみでシステムを構成でき、安価なコストでシステムを構築することが可能になるとともに、就寝や休息と外出による不在をより正確に判別することが可能になる。このように、（１）及び（５）の態様の発明では、コストを抑えつつも在外判定の判定精度を高くすることができる。
【００１２】
（２）の態様の発明では、既に見守りサービス等で利用されている家全体の電力値の時系列データ又は電流値の時系列データや、安価に設置できるドアセンサ等のドア開閉検出部が検出できる開閉タイミング情報だけで在室を判定でき、簡単に在室を判定できる。
【００１３】
（３）の態様の発明では、監視期間となる予め設定された期間内で発生する、電力値又は電流値が予め設定された値以下に低下したこととドアが開閉されたこととを確実に検出できる。
【００１４】
（４）の態様の発明では、予め設定された期間を単位として電力値又は電流値とドアの開閉状態とを監視するような場合において、連続する２つの予め設定された期間内の電力値又は電流値及びドアの開閉状態を基に不在を判定できる。
【図面の簡単な説明】
【００１５】
【図１】本実施形態の在室及び不在判定（在外判定）システムの構成例を示す図である。
【図２】機器自動運転時の最大電力の算出手順の一例を示す図である。
【図３】在外判定を実現する処理の一例を示すフローチャートである。
【図４】在外判定を実現する処理の他の一例を示すフローチャートである。
【図５】在室及び不在判定システムにおける一連の動作等を説明するために使用する図である。
【図６】電力が変化し、ドア開閉している場合の判定処理の一例を説明するために使用する図である。
【図７】電力が変化し、ドア開閉している場合の判定処理の他の一例を説明するために使用する図である。
【図８】電力が変化し、ドア開閉している場合の判定処理の他の一例を説明するために使用する図である。
【発明を実施するための形態】
【００１６】
本発明の実施形態を図面を参照しつつ説明する。
本実施形態は、在室及び不在判定（在外判定）システムである。
（構成）
図１は、本実施形態の在室及び不在判定システム１の構成例を示す図である。
図１に示すように、在室及び不在判定システム１は、電力センサ２、ドア開閉検出センサ３、及び判定装置１０を有している。
【００１７】
判定装置１０は、電力センサ２及びドア開閉検出センサ３からの値を基に、人の在室及び不在を判定する。この判定装置１０は、電力データ入力部１１、ドア開閉タイミングデータ入力部１２、在外判定出力部１３、記憶部２０、及び演算部（処理部）３０を有している。
【００１８】
電力データ入力部１１は、電力センサ２が得た電力データを数値情報として取得する。ここで、データ取得間隔は、任意に設定可能である。ここで、電力データを得る構成は、電力センサ２に限定されないことは言うまでもない。
ドア開閉タイミングデータ入力部１２は、ドア開閉検出センサ３が得たドア開閉タイミングデータを取得する。
【００１９】
ここで、ドア開閉検出センサ３は、例えば、既存のセンサである。例えば、ドア開閉検出センサ３のようなドア開閉を検出する構成としては、他に無線を用いるものや赤外線を用いるもの等、複数考えられるが、これらに限定されないことは言うまでもない。
【００２０】
また、本実施形態において、ドア開閉検出センサ３は、ドアが開いたり閉じたりする動作までも検出する必要はなく、ドアが動いていることさえ検出できれば良い。すなわち、ドア開閉検出センサ３は、ドアが開いても閉じても、いずれの場合もドアが開閉したと検出する。ドア開閉タイミングデータ入力部１２は、このようにしてドア開閉検出センサ３が検出したドアの開閉タイミングデータを取得する。
【００２１】
記憶部２０は、電力データ記憶部２１、ドア開閉タイミングデータ記憶部２２、及び電力閾値記憶部２３を有している。ここで、電力データ記憶部２１は、電力データ入力部１１が取得した電力データであって予め設定された期間内でデータを記憶する。また、ドア開閉タイミングデータ記憶部２２は、ドア開閉タイミングデータ入力部１２が取得したドア開閉タイミングデータであって予め設定された期間内のデータを記憶する。また、電力閾値記憶部２３は、演算部３０の電力閾値算出部３１が算出した電力閾値を記憶する。
演算部３０は、電力閾値算出部３１及び在外判定部３２を有している。
【００２２】
ここで、電力閾値算出部３１は、電力消費機器（以下、単に機器という。）の自動運転（機器自動運転）時の最大電力を算出する。そして、電力閾値算出部３１は、算出した最大電力を閾値（以下、電力閾値という。）に設定する。
ここで、図２には、機器自動運転時の最大電力の算出手順の一例を示す。
【００２３】
前述のように、電力データ記憶部２１には、電力センサ２によって取得した電力データについて予め設定された期間（例えば一ヶ月）内のデータが記憶されており、図２に示すように、電力閾値算出部３１は、電力データ記憶部２１に記憶されている電力データを基に１日毎のヒストグラムを生成する。ここで、電力閾値算出部３１は、横軸を電力（対数）とし、縦軸を頻度としたヒストグラムを生成する。
【００２４】
よって、電力データ記憶部２１に電力データを記憶するために規定した予め設定された期間がｎ日であれば、電力閾値算出部３１は、ｎ個のヒストグラムを生成する。そして、電力閾値算出部３１は、生成したｎ個のヒストグラムの各々について判別分別法のσｂ２／σｗ２（σｂ２：クラス間分散、σｗ２：クラス内分散）を算出し、算出した値が最大となる日を選択する。
【００２５】
なお、判別分析法とは、あるデータ群に対して２つのクラスを定義し、その２つのクラスの分離度が最も大きくなるところを閾値とする技術で、画像濃淡の２値化等で頻繁に利用されている技術である。これにより、電力閾値算出部３１は、選択した日のヒストグラムを入力データとして判別分析法により得られた閾値を機器自動運転の最大値とする。
【００２６】
在外判定部３２は、宅内の消費電力やドア開閉状態を基に、宅内の人の在室及び不在を判定する。具体的には、在外判定部３２は、電力（消費電力）が電力閾値算出部３１が算出した電力閾値よりも大きい状態から電力閾値以下となった時点を起点とした不在検出用期間以内にドア開閉を検出したとき、そのドア開閉タイミング以降を不在（外出等を含む）と判定する。すなわち、在外判定部３２は、不在検出用期間以内に、電力（消費電力）が電力閾値算出部３１が算出した電力閾値よりも大きい状態から電力閾値以下となり、かつドア開閉を検出したとき、そのドア開閉タイミング以降を不在（外出等を含む）と判定する。
【００２７】
ここで、不在検出用期間は、予め設定された期間である。例えば、不在検出用期間は、１０分から６０分程度が好ましいが、１０分から６０分に限られるものではない。
【００２８】
また、在外判定部３２が判定に使用する電力データは、例えば、電力センサ２（電力データ入力部１１）によってリアルタイムで取得できる電力データ、又は電力データ記憶部２１に記憶されている電力データのうち最新の電力データである。また、在外判定部３２がドア開閉の検出に使用するデータは、ドア開閉検出センサ３（ドア開閉タイミングデータ入力部１２）によってリアルタイムで取得できるドア開閉タイミングデータ、又はドア開閉タイミング記憶部２２に記憶されているドア開閉タイミングデータのうち最新のドア開閉タイミングデータである。
【００２９】
また、不在検出用期間中にドアの開閉が複数回行われたとしても、在外判定部３２は、最初のドア開閉タイミング以降を不在と判定し、２回目以降のドア開閉については判定せず無視する（判定対象とはしない）。
【００３０】
一方、在外判定部３２は、在室の判定については、次のような第１及び第２在室判定手順で判定を行い、第１及び第２在室判定手順の何れかで在室との判定をすれば、最終判定結果も在室（例えば在宅、帰宅等を含む）と判定する。
（第１在室判定手順）
在外判定部３２は、電力が電力閾値以下となる状態から電力閾値を上回るタイミング以降を在室と判定する。
（第２在室判定手順）
在外判定部３２は、不在と判定されている期間中にドア開閉を検出したとき、その検出タイミング以降を在室と判定する。
【００３１】
また、在外判定部３２は、以上のようにして取得した在外判定結果（在室又は不在）を記憶部２０（具体的には記憶部２０に設けた在外判定結果記憶部）に記憶することもできる。この場合、在外判定部３２は、例えば、在外判定結果を時系列データとして記憶することもできる。
図３には、以上のような在外判定を実現する処理の一例のフローチャートを示す。
この図３では、電力が電力閾値よりも大きいときを活性状態とし、電力が電力閾値以下であるときを非活性状態としている。
【００３２】
図３に示すように、先ずステップＳ１では、在外判定部３２は、非活性状態から活性状態に変化したか否かを判定する。すなわち、在外判定部３２は、電力が電力閾値以下の状態から電力閾値よりも大きい状態に変化したか否かを判定する。在外判定部３２は、非活性状態から活性状態に変化したと判定すると、ステップＳ４に進む。また、在外判定部３２は、非活性状態から活性状態に変化していないと判定すると、ステップＳ２に進む。
【００３３】
ステップＳ２では、在外判定部３２は、活性状態から非活性状態に変化したか否かを判定する。すなわち、在外判定部３２は、電力が電力閾値よりも大きい状態から電力閾値以下となる状態に変化したか否かを判定する。在外判定部３２は、活性状態から非活性状態に変化したと判定すると、ステップＳ３に進む。また、在外判定部３２は、活性状態から非活性状態に変化していないと判定すると、ステップＳ７に進む。
【００３４】
ステップＳ３では、在外判定部３２は、不在検出用期間内にドア開閉（ドア開閉イベント）を検出したか否かを判定する。在外判定部３２は、不在検出用期間内にドア開閉を検出したと判定すると、ステップＳ５に進む。また、在外判定部３２は、不在検出用期間内にドア開閉を検出できないと判定すると、ステップＳ６に進む。
ステップＳ４では、在外判定部３２は、状態を在室と判定する。そして、在外判定部３２は、当該図３に示す処理を終了する。
ステップＳ５では、在外判定部３２は、状態を不在と判定する。そして、在外判定部３２は、当該図３に示す処理を終了する。
ステップＳ６では、在外判定部３２は、状態を在室と判定する。そして、在外判定部３２は、当該図３に示す処理を終了する。
ステップＳ７では、在外判定部３２は、前の状態（前の在室又は不在の判定結果）を維持する。そして、在外判定部３２は、当該図３に示す処理を終了する。
【００３５】
以上の図３に示す処理によって、例えば、在外判定部３２は、電力が電力閾値よりも大きい状態から電力閾値以下になった時点で不在検出用期間の起算を開始し、その不在検出用期間の終了前にドアが開閉されると、それ以降を不在と判定する（前記ステップＳ１、前記ステップＳ２、前記ステップＳ３、前記ステップＳ５）。また、在外判定部３２は、電力が電力閾値以下である状態から電力閾値よりも大きくなると、それ以降を在室と判定する（前記ステップＳ１、前記ステップＳ４）。
【００３６】
また、この処理では、在室判定は、ドア開閉による判定（第２在室判定手順による判定）を用いることなく、電力による判定（第１在室判定手順による判定）だけを行っている。また、この処理では、ドアの開閉イベント、及び電力が非活性から活性に変化するイベントの２つのイベント（状態変化）を在外判定の結果を得るトリガとしている。
次に、２つのイベントのうちの一方のドアの開閉イベントだけをトリガに在外判定を行う手順を説明する。
図４は、その在外判定の行う手順の一例を示すフローチャートである。
この図４でも、電力（消費電力）が電力閾値よりも大きいときを活性状態とし、電力が電力閾値以下であるときを非活性状態としている。
【００３７】
図４に示すように、先ず、ステップＳ２１では、在外判定部３２は、当該ｎ分間にドアが開閉されたか否かを判定する。ここで、在外判定部３２は、ｎ分間を単位として電力値（具体的には電力閾値との大小関係）及びドアの開閉状態を監視しており、このステップＳ２１では、最新の監視期間となる当該ｎ分間にドアが開閉されたか否かを判定する。在外判定部３２は、当該ｎ分間にドアが開閉されたと判定すると、ステップＳ２６に進む。また、在外判定部３２は、当該ｎ分間にドアが開閉されないと判定すると、ステップＳ２２に進む。
【００３８】
ステップＳ２２では、在外判定部３２は、前回の監視期間である前回ｎ分間にドアが開閉されたか否かを判定する。在外判定部３２は、前回ｎ分間にドアが開閉されたと判定すると、ステップＳ２３に進む。また、在外判定部３２は、前回ｎ分間にドアが開閉されないと判定すると、ステップＳ２４に進む。
【００３９】
ステップＳ２３では、在外判定部３２は、電力使用パタンを基に当該ｎ分間が活性状態であるか否かを判定する。在外判定部３２は、当該ｎ分間が活性状態であると判定すると、ステップＳ２７に進む。また、在外判定部３２は、当該ｎ分間が活性状態でないと判定すると、すなわち、当該ｎ分間が非活性状態である場合、ステップＳ２８に進む。
【００４０】
なお、本実施形態では、在外判定部３２は、ｎ分間内の全てにおいて活性状態又は非活性状態となっているときにその状態を判定対象として判定を行っている。例えば、在外判定部３２は、ｎ分間内の全てにおいて活性状態であれば、ｎ分間が活性状態であるとする。また、在外判定部３２は、ｎ分間内の途中で非活性状態から活性状態に変化すれば、前回ｎ分間の状態である非活性状態の結果を維持して今回のｎ分値の状態とする（今回のｎ分値も非活性状態とする）。
【００４１】
ステップＳ２４では、在外判定部３２は、前回ｎ分間の状態が不在状態であるか否かを判定する。在外判定部３２は、前回ｎ分間の状態が不在状態であると判定すると、ステップＳ２５に進む。また、在外判定部３２は、前回ｎ分間の状態が不在状態でないと判定すると、すなわち、前回ｎ分間の状態が在室状態である場合、ステップＳ３１に進む。
【００４２】
ステップＳ２５では、在外判定部３２は、電力使用パタンを基に当該ｎ分間が活性状態であるか否かを判定する。在外判定部３２は、当該ｎ分間が活性状態であると判定すると、ステップＳ２９に進む。また、在外判定部３２は、当該ｎ分間が活性状態でないと判定すると、すなわち、当該ｎ分間が非活性状態である場合、ステップＳ３０に進む。
【００４３】
ステップＳ２６では、在外判定部３２は、当該ｎ分間の状態を在室（活性有、在外判定結果（１））と判定する。そして、在外判定部３２は、当該図４に示す処理を終了する。
【００４４】
ステップＳ２７では、在外判定部３２は、当該ｎ分間の状態を在室（活性有、在外判定結果（２））と判定する。そして、在外判定部３２は、当該図４に示す処理を終了する。
【００４５】
ステップＳ２８では、在外判定部３２は、当該ｎ分間の状態を不在（在外判定結果（３））と判定する。そして、在外判定部３２は、当該図４に示す処理を終了する。
【００４６】
ステップＳ２９では、在外判定部３２は、当該ｎ分間の状態を在室（活性有、在外判定結果（４−１））と判定する。さらに、在外判定部３２は、前回のドア開閉を検出できた監視期間（当該ドア開閉を検出したｎ分間）の次のｎ分間から当該ｎ分間までの間の状態を在室（在外判定結果（４−２））にする（不在から在室に変更する）。そして、在外判定部３２は、当該図４に示す処理を終了する。
【００４７】
ステップＳ３０では、在外判定部３２は、当該ｎ分間の状態を不在（在外判定結果（５））と判定する。そして、在外判定部３２は、当該図４に示す処理を終了する。
【００４８】
ステップＳ３１では、在外判定部３２は、当該ｎ分間の状態を在室（在外判定結果（６））と判定する。そして、在外判定部３２は、当該図４に示す処理を終了する。
在外判定出力部１３は、在外判定部３２が前述のようにして得た在外判定結果を他のデバイスに出力する。
（動作、作用等）
次に、在室及び不在判定システム１における一連の動作等を図５を参照しつつ説明する。
【００４９】
先ず、ステップ（１）では、在室及び不在判定システム１は、電力データを取得する。具体的には、在室及び不在判定システム１は、入力インターフェース（電力データ入力部１１）を経由して電力センサ２から電力データを時系列に取得する。
【００５０】
また、ステップ（２）では、在室及び不在判定システム１は、ドア開閉タイミングデータを取得する。具体的には、在室及び不在判定システム１は、入力インターフェース（ドア開閉タイミングデータ入力部１２）を経由してドア開閉検出センサ３からドア開閉タイミングデータを取得する。
【００５１】
次に、ステップ（３）では、在室及び不在判定システム１は、電力データを記憶する。具体的には、在室及び不在判定システム１は、前記ステップ（２）で取得した電力データを電力データ記憶部２１に記憶する。
【００５２】
また、ステップ（４）では、在室及び不在判定システム１は、ドア開閉タイミングデータを記憶する。具体的には、在室及び不在判定システム１は、前記ステップ（３）で取得したドア開閉タイミングデータをドア開閉タイミングデータ記憶部２２に記憶する。
【００５３】
そして、在室及び不在判定システム１は、ステップ（５）において、所定期間（例えば一ヶ月）の電力データを蓄積し、その上で、ステップ（６）において、電力閾値算出部３１によって電力閾値を算出し、算出した電力閾値を電力閾値記憶部２３に記憶する。
【００５４】
そして、在室及び不在判定システム１は、ステップ（７）の判定処理において所定期間経過していると判定すると、前記ステップ（５）及び前記ステップ（６）において、再び、所定期間（例えば一ヶ月）の電力データを蓄積した上で電力閾値算出部３１によって電力閾値を算出する。すなわち、在室及び不在判定システム１は、所定期間を更新単位として、当該所定期間内に取得した電力データを基に、電力閾値記憶部２３に記憶される電力閾値を更新する。
【００５５】
そして、ステップ（８）では、在室及び不在判定システム１は、在外判定を行う。具体的には、在室及び不在判定システム１は、在外判定部３２によって、電力データ記憶部２１に記憶されている電力データ、電力閾値記憶部２３に記憶されている電力閾値（最新の電力閾値）、及びドア開閉タイミングデータ記憶部２２に記憶されているドア開閉タイミングデータを用いて在外判定を行う。
【００５６】
最後に、ステップ（９）では、在室及び不在判定システム１は、在外判定結果（在室又は不在）を出力する。具体的には、在室及び不在判定システム１は、前記ステップ（８）で得た在外判定結果を出力インターフェース（在外判定出力部１３）を経由して他のデバイスに出力する。
【００５７】
なお、この図５に示す処理において、破線の枠内の処理は、所定期間（一ヶ月程度）毎に電力閾値を更新する処理となり、破線の枠外の処理は、リアルタイム処理となる。
次に、図６乃至図８に示すように電力が変化し、ドア開閉している場合の判定処理の一例を説明する。
【００５８】
図６では、電力が電力閾値以下となり不在検出用期間内にドアが開閉している。また、不在検出用期間の経過後に、電力が電力閾値以下に維持されている状況下で再びドアが開閉している。その後、電力が電力閾値よりも大きくなっている。
【００５９】
このような場合、在外判定部３２は、電力が電力閾値以下となり、その後の不在検出用期間内にドアが開閉されると（時刻ｔ１）、そのドア開閉検出タイミング以降を不在（例えば外出）と判定する（前記ステップＳ５）。また、在外判定部３２は、そのように不在との判定をした後にドアが開閉されると（時刻ｔ２）、そのドア開閉検出タイミング以降を在室（例えば帰宅）と判定する（前記第２在室判定手順によって在室と判定する）。また、在外判定部３２は、電力が電力閾値よりも大きくなると（時刻ｔ３）、例えば、ドアが開閉されることがなくとも、それ以降を在室（例えば帰宅）と判定する（前記ステップＳ４、前記第１在室判定手順によって在室と判定する）。
【００６０】
また、図７に示すような場合、在外判定部３２は、ドア開閉を検出したｎ分間の次のｎ分間において、電力が電力閾値以下となっている場合、それ以降を不在と判定する（前記ステップＳ２８、前記在外判定結果（３））。一方、在外判定部３２は、直前のｎ分間を不在と判定していた場合、当該ｎ分間内にドアが開閉されると、そのドア開閉検出タイミング以降（当該ｎ分間）を在室と判定する（前記ステップＳ２６、前記在外判定結果（１））。さらに、在外判定部３２は、次のｎ分間に電力が電力閾値よりも大きいときには、それ以降を継続して在室と判定する（前記ステップＳ２７、前記在外判定結果（２））。これに対して、在外判定部３２は、次のｎ分間に電力が電力閾値以下であるときには、ドアの開閉が荷物を置く、又は必要なものを取りに帰る等のための一時的な在室（帰宅）によるものと判断し、次のｎ分間以降を不在と判定する（前記ステップＳ２８、前記在外判定結果（３））。
【００６１】
また、図８に示すような状況、すなわち、在外判定部３２は、不在と判定している場合（前のｎ分間で不在と判定している場合）に、ドアの開閉が検出されていない状態で電力が電力閾値以上になったときには、そのように電力が電力閾値以上になったｎ分間を在室（活性状態）と判定する（前記ステップＳ２９、前記在外判定結果（４−１））。さらに、在外判定部３２は、このｎ分間の前の時間帯で、前回のドア開閉検出及び電力を基に不在と判断した時間帯の在外判定結果（不在）を在室に変更する（前記ステップＳ２９、前記在外判定結果（４−２））。
【００６２】
また、消費電力が電力閾値以下となることと、ドアが開閉されることとが連続して発生することを不在（外出等による不在）と判定する基準にしているため、本実施形態では、原則として、これら２つの事象（イベント）が同一のｎ分間内に共に検出されることを想定している。しかし、ｎ分間の区切りは、前記不在検出用期間のように消費電力が電力閾値以下となるタイミングに連動していないため、消費電力が電力閾値以下となることとドアが開閉されることとが異なるｎ分間で発生することもあり得る。本実施形態では、ｎ分間を単位として監視した場合にこのような状況になることを考慮し、図４に示す処理のように、ドア開閉を検出したｎ分間の次のｎ分間においても継続的に消費電力が電力閾値を下回っている場合、それ以降を不在と判定している。すなわち、本実施形態では、消費電力が電力閾値以下となることとドアが開閉されることとが同一のｎ分間に発生することを不在と判定する条件としていない。
【００６３】
また、前述の実施形態の説明では、電力センサ２及び電力データ入力部１１は、協働して又は単体で、例えば、取得部を構成する。また、ドア開閉検出センサ３及びドア開閉タイミングデータ入力部１２は、協働して又は単体で、例えば、ドア開閉検出部を構成する。また、在外判定部３２は、例えば、判定部を構成する。また、不在検出用期間やｎ分間は、例えば、監視期間となる予め設定された期間を構成する。
（本実施形態の変形例）
【００６４】
本実施形態では、電力データを用いているが電流データを用いても、同様な結果、すなわち例えば、在外判定結果を得ることができる。すなわち、本実施形態では、電力、電流の違いは重要ではなく、また、電力データを用いることを要件とはしていない。
【００６５】
また、本実施形態では、判定装置１０を構成する各部の処理は、各部の機能によって実現され（例えばデバイスによって実現され）、又は、プログラムによって実現される。
【００６６】
また、本発明の実施形態を具体的に説明したが、本発明の範囲は、図示され記載された例示的な実施形態に限定されるものではなく、本発明が目的とするものと均等な効果をもたらす全ての実施形態をも含む。さらに、本発明の範囲は、請求項１により画される発明の特徴の組み合わせに限定されるものではなく、全ての開示されたそれぞれの特徴のうち特定の特徴のあらゆる所望する組み合わせによって画されうる。
【符号の説明】
【００６７】
１  在室及び不在判定システム、２  電力センサ、３  ドア開閉検出センサ、１０  判定装置、１１  電力データ入力部、１２  ドア開閉タイミングデータ入力部、３０  演算部、３２  在外判定部
【図１】
0005362866.tif 000002
【図２】
0005362866.tif 000003
【図３】
0005362866.tif 000004
【図４】
0005362866.tif 000005
【図５】
0005362866.tif 000006
【図６】
0005362866.tif 000007
【図７】
0005362866.tif 000008
【図８】
0005362866.tif 000009